(57)【要約】【課題】  操作性がよく、小型化された製造の容易なジョイスティック装置を提供することを目的とするものである。【解決手段】  コントロールパネルに設けられるジョイスティック装置１０であって、コントロールパネル上に突出し傾動する操作レバー１２と、操作レバー１２の先端部に設けられる操作ノブ１３と、操作ノブ１３の根元部に設けられ、操作レバー１２のレバー軸回りに沿って回転するボリューム回転リング１４と、操作ノブ１３の内部に設けられ、ボリューム回転リング１４の回転位置を示すボリューム回転位置認識マーカーＭと、操作ノブ１３にボリューム回転リング１４の回転位置が確認できる透明窓１５とを設けたジョイスティック装置１０である。【選択図】  図１
2006285883.tif 000002
【特許請求の範囲】
【請求項１】
コントロールパネルに設けられるジョイスティック装置であって、
固定基体から突出し傾動する操作レバーと、
前記操作レバーの先端部に設けられる操作ノブと、
前記操作ノブの根元部に設けられ、該操作レバーのレバー軸回りに沿って回転するボリューム回転リングと、
前記操作ノブの内部に設けられ、前記ボリューム回転リングの回転位置を示すボリューム回転位置認識マーカーと、
前記ボリューム回転リングの回転位置が確認できる前記操作ノブに設けた透明窓とを備えることを特徴とするジョイスティック装置。
【請求項２】
前記ボリューム回転リングが前記レバー軸に挿通された管状レバー軸に固定され、前記ボリューム回転位置認識マーカーが該管状レバー軸の先端部であって、前記レバー軸の先端部の前記操作ノブ内に設けられていることを特徴とする請求項１に記載のジョイスティック装置。
【請求項３】
前記管状レバー軸の下端部に可変抵抗器の回転軸に連動するギアを備えることを特徴とする請求項２に記載のジョイスティック装置。
【請求項４】
前記レバー軸の下端部に、該レバー軸の下端部の押圧力でスイッチ動作する押釦スイッチを設けたことを特徴とする請求項１又は２に記載のジョイスティック装置。
【請求項５】
前記操作ノブの傾動に連れて可変抵抗器のギアを回転させることを特徴とする請求項１，２，３又は４に記載のジョイスティック装置。
【発明の詳細な説明】
【技術分野】
【０００１】
本発明は、ビデオカメラ等の制御に使用されるジョイスティック装置に関し、詳しくは小型軽量化され、ビデオカメラをリモートコントロールする際の操作性が改善されたジョイスティック装置に関するものである。
【背景技術】
【０００２】
図４は、従来のジョイスティック装置を示しており、複数のボリューム調整機能とスイッチング動作機能を備えた多機能型のものがあり、操作摘子部１が基軸を中心として傾動するジョイスティックレバー２の先端部に設けられ、操作摘子部１内にはスイッチ付き可変抵抗器３が設けられ、ジョイスティックレバー２を矢印Ａのように傾動させることによって、ドラム４が回動し、ドラム４に設けられたギヤ部４ａが回動し、可変抵抗器５のギヤ部５ａがギヤ４ａと噛み合っており、可変抵抗器５の操作が可能であり、また、操作摘子部１の押釦部６を矢印Ｂのように押すことにより、スイッチ付き可変抵抗器３のスイッチ部がスイッチ動作を行う。また、回転リング７を回転させるとスイッチ付き可変抵抗器３の回転軸が回転し、可変抵抗器３を操作することができる構造となっている。（例えば、特許文献１参照）
【０００３】
【特許文献１】特開２００４−３１０２９９号（明細書全文、図面全図）
【発明の開示】
【発明が解決しようとする課題】
【０００４】
従来のジョイスティック装置は、図４に示したように、操作摘子部１内にスイッチ付き可変抵抗器３が設けられ、操作摘子部１内に電子機構部品が設けられた形状のジョイスティック装置では小型化する場合に支障となっており、また、ジョイスティックレバー２の軸内に電気配線を挿通しなければならない製造上の煩わしさがある。また、押釦部６は操作摘子部１内に設けられ、押釦部６の操作は操作摘子部１を握った指で行わねばならないし、手の平で操作することができない構造的な難点があった。
【０００５】
本発明は、上述のような課題に鑑みなされたものであり、操作性がよく、小型化された製造の容易なジョイスティック装置を提供することを目的とするものである。
【課題を解決するための手段】
【０００６】
本発明は上記課題を達成するためになされたものであり、請求項１の発明は、コントロールパネルに設けられるジョイスティック装置であって、
前記コントロールパネル上に突出し傾動する操作レバーと、
前記操作レバーの先端部に設けられる操作ノブと、
前記操作ノブの根元部に設けられ、該操作レバーのレバー軸回りに沿って回転するボリューム回転リングと、
前記操作ノブの内部に設けられ、前記ボリューム回転リングの回転位置を示すボリューム回転位置認識マーカーと、
前記ボリューム回転リングの回転位置が確認できる前記操作ノブに設けた透明窓とを備えることを特徴とするジョイスティック装置である。
【０００７】
また、請求項２の発明は、前記ボリューム回転リングが前記レバー軸に挿通された管状レバー軸に固定され、前記ボリューム回転位置認識マーカーが該管状レバー軸の先端部であって、前記レバー軸の先端部の前記操作ノブ内に設けられていることを特徴とする請求項１に記載のジョイスティック装置である。
【０００８】
また、請求項３の発明は、前記管状レバー軸の下端部に可変抵抗器の回転軸に連動するギアを備えることを特徴とする請求項２に記載のジョイスティック装置である。
【０００９】
また、請求項４の発明は、前記レバー軸の下端部の押圧力でスイッチ動作する押釦スイッチを設けたことを特徴とする請求項１又は２に記載のジョイスティック装置である。
【００１０】
また、請求項５の発明は、前記操作ノブの傾動に連れて可変抵抗器のギアを回転させることを特徴とする請求項１，２，３又は４に記載のジョイスティック装置である。
【発明の効果】
【００１１】
請求項１の発明では、コントロールパネルに設けられるジョイスティック装置であって、
前記コントロールパネル上に突出し傾動する操作レバーと、
前記操作レバーの先端部に設けられる操作ノブと、
前記操作ノブの根元部に設けられ、該操作レバーのレバー軸回りに沿って回転するボリューム回転リングと、
前記操作ノブの内部に設けられ、前記ボリューム回転リングの回転位置を示すボリューム回転位置認識マーカーと、
前記ボリューム回転リングの回転位置が確認できる前記操作ノブに設けた透明窓とを備えることを特徴とするジョイスティック装置であるので、ボリューム回転リングの回転位置が前記操作ノブの透明窓からボリューム回転位置認識マーカーが容易に視認でき、操作性が良好である利点がある。
【００１２】
また、請求項２の発明では、前記ボリューム回転リングが前記レバー軸に挿通された管状レバー軸に固定され、前記ボリューム回転位置認識マーカーが該管状レバー軸の先端部であって、前記レバー軸の先端部の前記操作ノブ内に設けられていることを特徴とする請求項１に記載のジョイスティック装置であるので、ボリューム回転リングを操作すると管状レバー軸が回転し、管状レバー軸の先端部に設けられた中間リング部材を介してボリューム回転位置認識マーカーが回転し、透明窓を通して設定位置が認識できる利点がある。
【００１３】
また、請求項３の発明では、前記管状レバー軸の下端部に可変抵抗器の回転軸に連動するギアを備えることを特徴とする請求項２に記載のジョイスティック装置であるので、可変抵抗器を操作ノブ内に設けることなく、管状レバー軸の下端部に電子部品を集約することが可能であり、製造が容易であるとともに、電気配線の処理が容易となる利点がある。
【００１４】
また、請求項４の発明では、前記レバー軸の下端部の押圧力でスイッチ動作する押釦スイッチを設けたことを特徴とする請求項１又は２に記載のジョイスティック装置であるので、押釦スイッチの操作は、操作ノブの全体を押すことによって、押釦スイッチを操作することが可能であり、操作が容易であるとともに、製造が容易であり、電気配線の処理が容易となる利点がある。
【００１５】
また、請求項５の発明では、前記操作ノブの傾動に連れて可変抵抗器のギアを回転させることを特徴とする請求項１，２，３又は４に記載のジョイスティック装置であるので、管状レバー軸の下端部に電子部品を集約することが可能であり、製造が容易であるとともに、電気配線の処理が容易となる利点がある。
【発明を実施するための最良の形態】
【００１６】
以下、本発明に係るジョイスティック装置の実施の形態について、図面を参照して説明する。なお、図１は、本発明の一実施形態を示す斜視図である。図２（ａ）は本実施形態のＸ−Ｘ矢視の断面図であり、（ｂ）は本実施形態の側面図である。図３（ａ）は本実施形態の正面図であり、（ｂ）はそのＹ−Ｙ矢視の断面図である。
【００１７】
本実施形態のジョイスティック装置は、図１〜図３に示したように、固定基体１１に傾動自在に操作レバー１２が設けられ、その先端部に操作ノブ１３が設けられ、操作ノブ１３の根本部分にボリューム回転リング１４が設けられている。操作ノブ１３の上部には、ボリューム回転位置認識マーカーＭが認識可能なようにリング状の透明窓１５が設けられている。操作ノブ１３は本体が透明樹脂で成形され、握り部を黒色の樹脂層で被覆された二色成形構造であり、その上部に透明窓１５が形成されている。固定基体１１には、操作レバー１２の直下に押釦スイッチ１６が設けられ、ボリューム回転リング１４の操作により調整される可変抵抗器１７と操作レバー１２の操作により調整される可変抵抗器２７が設けられている。
【００１８】
操作レバー１２は、レバー軸１８とレバー軸１８に挿通された管状レバー軸１９とからなり、操作ノブ１３はレバー軸１８の先端部分に固定され、レバー軸１８の下端部には押釦スイッチ１６が設けられている。管状レバー軸１９は固定基体１１に傾動可能に所定のスラスト圧で傾動自在に設けられている。図２（ａ）は、矢印Ａにより操作レバー１２が傾動可能な範囲を示している。
【００１９】
ボリューム回転リング１４は、管状レバー軸１９の上端部に固定され、ボリューム回転リング１４は中間リング部材２０を介して操作ノブ内リング部材２１と固定されている。操作ノブ内リング部材２１にはその上面にボリューム回転位置認識マーカーＭが設けられ、操作ノブ１３の透明窓１５からボリューム回転位置認識マーカーＭを視認することができる。ボリューム回転リング１４は、図２（ａ）の矢印Ｂのように回動させることによって、中間リング部材２０及び操作ノブ内リング部材２１が回動し、操作ノブ内リング部材２１の上面に設けられたボリューム回転位置認識マーカーＭが回動する。因みに、操作ノブ内リング部材２１は、レバー軸１８に固定された操作ノブ１３とベアリング２３により回転自在に支承されており、ボリウム回転リング１４を回転させると、これに固定された管状レバー軸１９と操作ノブ内リング部材２１が、レバー軸１８の軸中心にスムーズに回転する。ボリュームの回転位置は、操作ノブ１３の上部にリング状の透明窓１５の外周部に指示メモリ２２が設けられ、ボリュームの回転位置を指し示すことができる。
【００２０】
一方、管状レバー軸１９の下端部にはギア２４が設けられ、このギア２４にギア２５が歯合し、かつ可変抵抗器１７の回転軸に設けたギア２６と歯合し、ボリューム回転リング１４を矢印Ｂのように回転させると、管状レバー軸１９とギア２４が回転し、ギア２４に歯合するギア２５が回転して可変抵抗器１７の回転軸が回転し、可変抵抗器１７の抵抗値を調整することができる（図２（ａ）参照）。
【００２１】
また、操作ノブ１３を矢印Ａで示したように、管状レバー軸１９を傾動することによって、管状レバー軸１９の軸端部に設けられたドラム２８が回動し、ドラム２８に設けられたギア２８ａが可変抵抗器２７の回転軸に設けられたギア２７ａと噛み合って可変抵抗器２７の抵抗値を調整することができる（図３（ａ）参照）。
【００２２】
また、操作ノブ１３を矢印Ｃで示したように押圧すると、操作ノブ１３と操作ノブ内リング部材２１及びレバー軸１８が押圧される。操作ノブ内リング部材２１の下部の中間リング部材２０にはスプリング２９が遊嵌状に設けられており、ボリューム回転リング１４内に収納されたスプリング２９を圧縮し、操作ノブ内リング部材２１がレバー軸１８に接触して押圧され、押釦スイッチ１６が開閉動作を行う。操作ノブ１３から手を離すと、スプリング２９の反発力により復帰する。
【００２３】
上述のように、本実施形態は、可変抵抗器や押釦スイッチ等の電子機器部品が固定基体側に集約されており、これらの電気配線がレバー軸に挿通させる必要がなく、固定基体側から引き出すことが可能であり、製造が容易であるとともに、これらの電気配線の断線といった故障を回避することができ、安全性が高くなる利点がある。また、操作ノブには、電子機器部品を設ける必要がなくなり、小型化することができる。
【産業上の利用可能性】
【００２４】
本発明の活用例としては、ビデオカメラを制御するためのジョイスティック装置として利用することができるし、工作機械の制御にも利用することができる。
【図面の簡単な説明】
【００２５】
【図１】本発明の一実施形態を示す斜視図である。
【図２】（ａ）本実施形態のＸ−Ｘ矢視の断面図であり、（ｂ）は本実施形態の側面図である。
【図３】（ａ）は本実施形態の正面図であり、（ｂ）はＹ−Ｙ矢視の断面図である。
【図４】従来のジョイスティック装置の断面図である。
【符号の説明】
【００２６】
１０  ジョイスティック装置
１１  固定基体
１２  操作レバー
１３  操作ノブ
１４  ボリューム回転リング
１５  透明窓
１６  押釦スイッチ
１７，２７  可変抵抗器
１８  レバー軸
１９  管状レバー軸
２０  中間リング部材
２１  操作ノブ内リング部材
２２  指示メモリ
２３  ベアリング
２４，２５，２６，２７ａ，２８ａ  ギア
２８  ドラム
２９  スプリング
Ｍ  ボリューム回転位置認識マーカー
【図１】
2006285883.tif 000003
【図２】
2006285883.tif 000004
【図３】
2006285883.tif 000005
【図４】
2006285883.tif 000006